(57)【要約】【課題】画像の切り替えに同期する信号を出力するプロジェクターにおいて、小型化や、デザイン性の向上を提供する。【解決手段】プロジェクターは、光源から射出された光束を画像情報に応じて変調し、第１画像および第２画像を時分割でスクリーンに投影する。プロジェクターは、第１画像と第２画像との切り替えに同期する光信号を、スクリーンに向けて出力する送信部５１と、外部のリモコンから送信された光による操作信号を受信する受光素子７１と、送信部５１と受光素子７１との間に配置され、光信号を遮光する遮光部８と、を備える。【選択図】図５
2013083851.tif 000002
【特許請求の範囲】
【請求項１】
光源から射出された光束を画像情報に応じて変調し、第１画像および第２画像を時分割でスクリーンに投影するプロジェクターであって、
前記第１画像と前記第２画像との切り替えに同期する光信号を、前記スクリーンに向けて出力する送信部と、
外部のリモコンから送信された光による操作信号を受信する受光素子と、
前記送信部と前記受光素子との間に配置され、前記光信号を遮光する遮光部と、
を備えることを特徴とするプロジェクター。
【請求項２】
請求項１に記載のプロジェクターであって、
前記送信部は、前記光信号を出力する複数の発光素子を備え、
前記遮光部は、前記複数の発光素子のうち、前記受光素子に最も近くに位置する第１の発光素子と、前記受光素子との間に設けられていることを特徴とするプロジェクター。
【請求項３】
請求項２に記載のプロジェクターであって、
前記遮光部は、少なくとも前記第１の発光素子を、前記第１の発光素子の光軸方向に交差する方向において囲む第１の遮光部を有していることを特徴とするプロジェクター。
【請求項４】
請求項３に記載のプロジェクターであって、
前記遮光部は、前記受光素子に対して前記第１の発光素子より遠い位置に配置される発光素子を、前記発光素子の光軸方向に交差する方向において囲む第２の遮光部を有し、
前記第１の遮光部は、前記光信号を吸収する部材を有して形成され、
前記第２の遮光部は、前記光信号を反射する部材を有して形成されていることを特徴とするプロジェクター。
【請求項５】
請求項１〜請求項４のいずれか一項に記載のプロジェクターであって、
前記遮光部は、前記送信部の前記光信号を出力する基端側に前記光信号を吸収する部材が設けられ、前記基端側とは反対側の先端側に前記光信号を反射する部材が設けられていることを特徴とするプロジェクター。
【請求項６】
請求項１〜請求項５のいずれか一項に記載のプロジェクターであって、
前記送信部の前記光信号が出力される側を覆い、前記光信号が透過し、可視光の透過を抑制する光学フィルターをさらに備え、
前記遮光部は、前記光学フィルターに取り付けられていることを特徴とするプロジェクター。
【発明の詳細な説明】
【技術分野】
【０００１】
本発明は、プロジェクターに関する。
【背景技術】
【０００２】
従来、観察者に立体画像を認識させる電子機器が知られている。この電子機器の中には、時分割で左眼用、右眼用の画像を表示させ、シャッター式の眼鏡を用いることで観察者に立体画像として認識させる技術が提案されている（例えば、特許文献１参照）。
【０００３】
特許文献１に記載されている立体映像再生装置は、３Ｄ信号送信部、リモコン信号受信部、３Ｄ送信フィルター、およびリモコン受信フィルターを備えている。
３Ｄ信号送信部は、左眼用および右眼用映像に同期して左右眼用液晶シャッターの透過／非透過を切換える３Ｄ指示信号を送信する。リモコン信号受信部は、リモコンの被操作に基づいて変調されたリモコン信号を受信し、これに同期してテレビジョン受像機を制御する制御信号を伝送する。３Ｄ送信フィルターは、３Ｄ信号送信部の前面に配され、３Ｄ信号送信部の赤外線発光器から発射される３Ｄ指示信号を透過する。リモコン受信フィルターは、リモコン信号受信部の前面に配され、リモコンの赤外線発光器から発射されるリモコン信号を透過する。そして、３Ｄ送信フィルターとリモコン受信フィルターとは、互いに離間して配置されている。
【先行技術文献】
【特許文献】
【０００４】
【特許文献１】特開２０１０−８６３８号公報
【発明の概要】
【発明が解決しようとする課題】
【０００５】
しかしながら、特許文献１に記載の技術は、３Ｄ送信フィルターとリモコン受信フィルターとが互いに離間して配置されているため、立体映像再生装置の大型化や、デザインに制約が生じるという課題がある。また、３Ｄ送信フィルター、リモコン受信フィルターのそれぞれの後方に配置されている３Ｄ信号送信部、リモコン信号受信部においても配置する制約が生じるため、スペース効率良く３Ｄ信号送信部、リモコン信号受信部を配置することが難しく、装置が大型化する恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、第１画像および第２画像を時分割でスクリーンに投影するプロジェクターであって、前記第１画像と前記第２画像との切り替えに同期する光信号を、前記スクリーンに向けて出力する送信部と、外部のリモコンから送信された光による操作信号を受信する受光素子と、前記送信部と前記受光素子との間に配置され、前記光信号を遮光する遮光部と、を備えることを特徴とする。
【０００８】
本適用例によれば、プロジェクターは、第１画像と第２画像との切り替えに同期する光信号を出力する送信部、リモコンからの操作信号を受信する受光素子、および送信部と受光素子との間に配置され、光信号を遮光する遮光部を備えている。
これによって、送信部から受光素子に向かう光信号を遮光することが可能となる。よって、送信部が送信する光信号と、受光素子が受信する光による操作信号とが同程度の波長領域の光（例えば、赤外線）で、受光素子と送信部とが近い位置に配置されても、受光素子は、送信部から出力された光信号を受信することが抑制され、リモコンからの操作信号を適切に受信することが可能となる。よって、送信部および受光素子をプロジェクター内に配置する自由度が増すので、双方の部品を効率よく配置してプロジェクターの小型化を図ったり、プロジェクターのデザイン性の向上を図ったりすることが可能となる。
【０００９】
［適用例２］上記適用例に記載のプロジェクターにおいて、前記送信部は、前記光信号を出力する複数の発光素子を備え、前記遮光部は、前記複数の発光素子のうち、前記受光素子に最も近くに位置する第１の発光素子と、前記受光素子との間に設けられていることが好ましい。
【００１０】
本適用例によれば、送信部は、光信号を出力する発光素子を複数備えているので、強度を高めて送信部から光信号を出力し、より広範囲に位置する画像の観察者に到達させることが可能となる。これによって、観察者は、光信号を受光することに対応して左右のシャッターが開閉する画像観察用眼鏡を装着することで、スクリーンに投写された画像を立体画像として認識したり、２種類の画像を観察したりすることを安定して行うことが可能となる。
また、遮光部は、複数の発光素子のうち、受光素子に最も近くに位置する第１の発光素子と、受光素子との間に設けられている。これによって、遮光部は、複数の発光素子の中で受光素子に向かう光信号を最も出力すると考えられる第１の発光素子からの光信号を遮光するので、簡素な構造で受光素子に向かう光信号を効率よく遮光することが可能となる。
【００１１】
［適用例３］上記適用例に係るプロジェクターにおいて、前記遮光部は、少なくとも前記第１の発光素子を、前記第１の発光素子の光軸方向に交差する方向において囲む第１の遮光部を有していることが好ましい。
【００１２】
本適用例によれば、第１の遮光部は、受光素子に最も近くに位置する第１の発光素子を、第１の発光素子の光軸方向に交差する方向において囲む。これによって、第１の遮光部は、第１の発光素子が光信号を主に出力する領域（光軸に近い領域、以下、この領域の光信号を「領域内光信号」という）に対して離れた領域から出力される光信号（以下、「領域外光信号」という）を遮光することとなる。領域外光信号は、プロジェクター内の部材で反射等による散乱によって受光素子に入射する恐れがあるので、この領域外光信号が遮光されることによって、受光素子に向かう光信号を効率よく遮光することが可能となる。よって、受光素子は、送信部から出力された光信号を受信することが効率よく抑制され、リモコンからの操作信号を適正に受信することが可能となる。
【００１３】
［適用例４］上記適用例に係るプロジェクターにおいて、前記遮光部は、前記受光素子に対して前記第１の発光素子より遠い位置に配置される発光素子を、前記発光素子の光軸方向に交差する方向において囲む第２の遮光部を有し、前記第１の遮光部は、前記光信号を吸収する部材を有して形成され、前記第２の遮光部は、前記光信号を反射する部材を有して形成されていることが好ましい。
【００１４】
本適用例によれば、第１の遮光部は、光信号を吸収する部材を有して形成されている。これによって、受光素子に近い位置から発せられ、プロジェクター内の部材で反射等による散乱によって受光素子に入射する恐れのある領域外光信号を吸収することが可能となる。
また、第２の遮光部は、第１の発光素子より遠い位置に配置される発光素子を囲み、光信号を反射する部材を有して形成されている。これによって、受光素子に対して第１の発光素子より遠い位置から発せられ、受光素子に向かう光信号を遮光すると共に、領域外光信号の一部を反射させ、第１画像と第２画像との切り替えに有効な光信号として使用することが可能となる。
したがって、この構成によれば、受光素子に向かう光信号を効率よく遮光すると共に、第１の遮光部によって吸収された光信号を、第２の遮光部によって反射された光信号によって補うことができ、有効な光信号の強度のバランスを高めることが可能となる。
【００１５】
［適用例５］上記適用例に係るプロジェクターにおいて、前記遮光部は、前記送信部の前記光信号を出力する基端側に前記光信号を吸収する部材が設けられ、前記基端側とは反対側の先端側に前記光信号を反射する部材が設けられていることが好ましい。
【００１６】
本適用例によれば、遮光部は、送信部の基端側に光信号を吸収する部材を有し、先端側に光信号を反射する部材を有している。これによって、領域外光信号のなかで、領域内光信号の領域に近くに出力され、より強度が高い領域外光信号を反射部材で反射し、領域外光信号のなかで、基端側近くに出力され、より散乱光になりがちな光信号を吸収部材で吸収することが可能となる。よって、受光素子に向かう光信号をより効率的に遮光すると共に、有効な光信号の強度を効率的に高めることが可能となる。
【００１７】
［適用例６］上記適用例に係るプロジェクターにおいて、前記送信部の前記光信号が出力される側を覆い、前記光信号が透過し、可視光の透過を抑制する光学フィルターをさらに備え、前記遮光部は、前記光学フィルターに取り付けられていることが好ましい。
【００１８】
本適用例によれば、遮光部は、光学フィルターに取り付けられているので、簡素な構造や省スペース化を図って遮光部を配置する構成が可能となる。
【図面の簡単な説明】
【００１９】
【図１】第１実施形態のプロジェクターの外観を示す斜視図。
【図２】第１実施形態のプロジェクター内部の概略構成を示す模式図。
【図３】第１実施形態の送信装置近傍のプロジェクターの分解斜視図。
【図４】第１実施形態の送信装置近傍のプロジェクターの断面図。
【図５】第１実施形態の送信部、光学フィルターおよび受信部の断面図。
【図６】第２実施形態の遮光部を説明する模式図であり、前方から見た平面図。
【図７】第２実施形態における第２の遮光部の断面図。
【発明を実施するための形態】
【００２０】
（第１実施形態）
以下、第１実施形態に係るプロジェクターについて、図面を参照して説明する。
本実施形態のプロジェクターは、光源から射出された光束を画像情報に応じて変調してスクリーンに拡大投写する。また、本実施形態のプロジェクターは、第１画像としての右目用画像、および第２画像としての左目用画像を時分割でスクリーンに投影できるように構成されている。また、本実施形態のプロジェクターは、この右目用画像と左目用画像との切り替えに同期した光信号をスクリーンに向けて出力するように構成されている。そして、スクリーンに投写された画像を観察する観察者は、シャッター方式の画像観察用眼鏡を装着することによって、画像観察用眼鏡がスクリーンから反射された光信号によって制御され、投写された画像を立体画像として認識することができる。
【００２１】
〔プロジェクターの主な構成〕
図１は、本実施形態のプロジェクター１の外観を示す斜視図であり、机上等に載置された状態を示す図である。図２は、プロジェクター１内部の概略構成を示す模式図である。
プロジェクター１は、図１、図２に示すように、外装を構成する外装筐体２、制御部（図示省略）、光源装置３１を有する光学ユニット３、光源装置３１や制御部に電力を供給する電源装置４、送信装置５、光学フィルター６、リモコン受信部７および遮光部８等を備えている。
【００２２】
なお、具体的な図示は省略したが、外装筐体２内には、プロジェクター１の内部を冷却するための冷却ファンや空気を導くダクト等が配置されている。また、以下では、説明の便宜上、光源装置３１から光束が射出される方向を＋Ｘ方向（右側）、プロジェクター１から投写される光の方向を＋Ｙ方向（前側）、図１における上方向を＋Ｚ方向（上側）として記載する。
【００２３】
外装筐体２は、合成樹脂製であり、図１に示すように、アッパーケース２１、ロアーケース２２、フロントケース２３、およびランプ蓋２４等を備えており、これらは、ネジ等により固定されている。
【００２４】
アッパーケース２１は、図１に示すように、外装筐体２の上部を構成する。アッパーケース２１の上面には、後方にプロジェクター１の各種指示を行うための操作パネル２０が配置されている。そして、アッパーケース２１の上面には、操作パネル２０の前方に開口部が設けられ、この開口部から後述する投写レンズ３６のズームリング３６１およびフォーカスリング３６２にそれぞれ備えられた各レバーが露出する。また、アッパーケース２１の上面には、−Ｘ側の略中央部に、光源装置３１が着脱される開口部が設けられており、この開口部は、ランプ蓋２４によって閉塞されている。
【００２５】
ロアーケース２２は、外装筐体２の下部を構成する。ロアーケース２２には、図１に示すように、ロアーケース２２から下方に突出する脚部２５が設けられており、この脚部２５は、プロジェクター１が机上等に設置される際に設置面に当接してプロジェクター１を支持する。
【００２６】
フロントケース２３は、外装筐体２の前部を構成する。フロントケース２３の中央部には、図１に示すように、前方から見て円形の開口部２３１が形成されており、この開口部２３１から投写される光が通過する。
フロントケース２３には、開口部２３１の＋Ｘ側に、外部の空気が取り込まれる吸気口２３２が設けられており、吸気口２３２の内側には、図示しない吸気用のダクトが配置されている。
【００２７】
また、フロントケース２３には、開口部２３１の−Ｘ側に、外装筐体２内の温まった空気が外部に排出される排気口２３３が設けられており、排気口２３３の内側には、図示しない排気用のダクトが配置されている。また、フロントケース２３には、開口部２３１と排気口２３３との間に開口部が設けられ、この開口部は、受光用フィルター２６によって閉塞されている。そして、この受光用フィルター２６の内側には、後述する受光素子７１（図２参照）が配置されている。
【００２８】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御を行う。
【００２９】
光学ユニット３は、制御部による制御の下、光源３１１から射出された光束を光学的に処理して投写する。
光学ユニット３は、図２に示すように、光源装置３１、インテグレーター照明光学系３２、色分離光学系３３、リレー光学系３４、電気光学装置３５、投写レンズ３６、およびこれらの部材３１〜３６を光路上の所定位置に配置する光学部品用筐体３７を備える。
光学ユニット３は、図２に示すように平面視略Ｌ字状に形成され、一方の端部に光源装置３１が着脱可能に配置され、他方の端部に投写レンズ３６が配置される。
【００３０】
光源装置３１は、超高圧水銀ランプやメタルハライドランプ等からなる放電型の光源３１１、リフレクター３１２および光透過部材としての平行化レンズ３１３等を備えている。光源装置３１は、光源３１１から射出された光束をリフレクター３１２にて反射した後、平行化レンズ３１３よって射出方向を揃え、インテグレーター照明光学系３２に向けて射出する。
【００３１】
インテグレーター照明光学系３２は、第１レンズアレイ３２１、第２レンズアレイ３２２、偏光変換素子３２３、および重畳レンズ３２４を備える。
第１レンズアレイ３２１は、光源装置３１から射出された光束を複数の部分光束に分割する光学素子であり、光源装置３１から射出された光束の光軸Ｃに対して略直交する面内にマトリックス状に配列される複数の小レンズを備えている。
【００３２】
第２レンズアレイ３２２は、第１レンズアレイ３２１と略同様の構成を有しており、重畳レンズ３２４とともに、第１レンズアレイ３２１から射出された部分光束を後述する液晶ライトバルブ３５１の表面に重畳させる。
偏光変換素子３２３は、第２レンズアレイ３２２から射出されたランダム偏光光を液晶ライトバルブ３５１で利用可能な略１種類の偏光光に揃える機能を有する。
【００３３】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３４】
リレー光学系３４は、入射側レンズ３４１、リレーレンズ３４３、および反射ミラー３４２，３４４を備え、色分離光学系３３で分離されたＲ光をＲ光用の液晶ライトバルブ３５１Ｒまで導く機能を有する。なお、光学ユニット３は、リレー光学系３４がＲ光を導く構成としているが、これに限らず、例えば、Ｂ光を導く構成としてもよい。
【００３５】
電気光学装置３５は、光変調装置としての液晶ライトバルブ３５１および色合成光学装置としてクロスダイクロイックプリズム３５２を備え、色分離光学系３３で分離された各色光を、右目用および左目用の画像情報に応じて変調し、変調した各色光を合成する。
【００３６】
液晶ライトバルブ３５１は、３色の色光毎に備えられており（Ｒ光用の液晶ライトバルブを３５１Ｒ、Ｇ光用の液晶ライトバルブを３５１Ｇ、Ｂ光用の液晶ライトバルブを３５１Ｂとする）、それぞれ透過型の液晶パネル、およびその両面に配置された入射側偏光板、射出側偏光板を有している。
【００３７】
液晶ライトバルブ３５１は、図示しない微小画素がマトリックス状に形成された矩形状の画素領域を有し、各画素が画像情報に応じた光透過率に設定され、画素領域内に表示画像を形成する。そして、色分離光学系３３で分離された各色光は、液晶ライトバルブ３５１にて変調された後、クロスダイクロイックプリズム３５２に射出される。
【００３８】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が液晶ライトバルブ３５１Ｒ，３５１Ｂにて変調された色光を反射し、液晶ライトバルブ３５１Ｇにて変調された色光を透過して、各色光を合成する。
【００３９】
投写レンズ３６は、複数のレンズ（図示省略）、ズームリング３６１、フォーカスリング３６２を有して構成され、クロスダイクロイックプリズム３５２にて合成された光をスクリーン上に拡大投写する。この結果、スクリーンには、左目用画像と右目用画像とがフレーム単位で交互に投影される。
【００４０】
電源装置４は、詳細な説明は省略するが、電源ブロックおよび光源装置３１を駆動する光源駆動ブロック（いずれも図示省略）を備え、制御部および光源３１１等の電子部品に電力を供給する。
【００４１】
図３は、送信装置５近傍のプロジェクター１の分解斜視図である。図４は、送信装置５近傍のプロジェクター１の断面図である。
送信装置５は、図３、図４に示すように、複数の発光素子５１１を有する送信部５１を備え、フロントケース２３の内側に配置されている。送信部５１は、図示しないケーブルを介して制御部に接続され、制御部の指示に基づいて、右目用画像と左目用画像との切り替えに同期する光信号をスクリーンに向けて出力する。
【００４２】
光学フィルター６は、光信号を透過する材料で形成され、図３、図４に示すように、送信部５１の前方（＋Ｙ側）に配置されている。光学フィルター６は、送信部５１をプロジェクター１外部から見えにくくし、デザイン性の向上が図れるように配置されている。なお、送信装置５および光学フィルター６については、後で詳細に説明する。
【００４３】
リモコン受信部７は、図３、図４に示すように、受光素子７１、および受光素子７１が実装される受信基板７２を備えている。リモコン受信部７は、前述したように、受光素子７１が受光用フィルター２６の内側に配置され、フロントケース２３にネジ固定される。また、リモコン受信部７は、図示しないケーブルを介して制御部に接続され、光学フィルター６の近傍に配置される。そして、リモコン受信部７は、ユーザーによって操作される外部のリモコンから送信された赤外線による操作信号を受光素子７１が受信し、受信した操作信号に基づく信号を制御部に出力する。
【００４４】
遮光部８は、送信部５１と受光素子７１との間に配置されており、送信部５１から出力され、受光素子７１へ向かう光信号を遮光する機能を有している。遮光部８については、後で詳細に説明する。
【００４５】
〔送信装置の構成〕
ここで、送信装置５について詳細に説明する。
送信装置５は、図３に示すように、送信部５１に加え、保持部材５２を備えている。
送信部５１は、複数の発光素子５１１に加え、回路基板５１２を備えている。
【００４６】
回路基板５１２は、図３に示すように、外形が平面視矩形状に形成され、中央部には、平面視円形の孔（挿通孔５１２１）が設けられている。挿通孔５１２１は、投写レンズ３６の前側、および光学フィルター６の後述する円孔６１１の周縁部（図４参照）が挿通可能な大きさに形成されている。また、回路基板５１２の四隅には、ネジが挿通される丸孔５１２２が形成され、４つの丸孔５１２２の内、対角に位置する２つの丸孔５１２２の近傍には、位置決め用孔５１２３が設けられている。
【００４７】
発光素子５１１は、赤外線による光信号を出力するＬＥＤ（Light Emitting Diode）が採用されている。複数の発光素子５１１は、前方（＋Ｙ方向）に光信号を出力するように回路基板５１２の前側（＋Ｙ側）の面に実装されている。発光素子５１１は、出力される光信号が前方に向かう程（進行方向に向かう程）広がる配光分布特性を有している。本実施形態の発光素子５１１は、この配光分布特性が光軸５１１Ｌ（図７参照）を中心として１０°程度の角度分布を有するＬＥＤが採用されている。
【００４８】
そして、発光素子５１１は、この１０°程度の配光分布特性内の領域、およびその領域近傍を含む領域から主に光信号を出力し、その領域から離れた領域からも光信号を出力する。以下、配光分布特性内、およびその近傍を含む領域から出力された光信号を「領域内光信号」、配光分布特性内、およびその近傍を含む領域に対して外れた領域から出力された光信号を「領域外光信号」という。なお、発光素子５１１として角度分布が１０°以外の配向分布特性を有する発光素子５１１を採用してもよい。
【００４９】
また、複数の発光素子５１１は、回路基板５１２の挿通孔５１２１の左右および下側の周縁部に沿って配置され、投写レンズ３６の外周を囲むように環状に配置されることとなる。
図５は、送信部５１、光学フィルター６およびリモコン受信部７を前方から見た断面図であり、図４における断面Ａ−Ａを示す図である。
具体的に、複数の発光素子５１１は、図５に示すように、挿通孔５１２１（図３参照）の右側で最も上側に位置する発光素子５１１ａ、および発光素子５１１ａから図５の図面視における時計回りに順次配置され、略等間隔で配置された５１１ｂ〜５１１ｌを有している。そして、発光素子５１１ｉは、複数の発光素子５１１のうち、受光素子７１に最も近くに位置する第１の発光素子５１１として構成されている。
【００５０】
保持部材５２は、合成樹脂で形成され、図３に示すように、送信部５１の後方に配置され、送信部５１を保持する。
保持部材５２は、平面視矩形状に形成され、中央部には、投写レンズ３６の前側が挿通される挿通孔５２１が設けられている。保持部材５２には、回路基板５１２の丸孔５１２２に対応するネジ穴が形成されたボス５２２、および位置決め用孔５１２３に対応する位置決めピン５２３が形成されている。また、保持部材５２には、左右の端部にネジが挿通される挿通孔を有する取付部５１２４が設けられている。
【００５１】
送信部５１は、回路基板５１２の位置決め用孔５１２３に位置決めピン５２３が挿入され、丸孔５１２２にネジが挿通されて保持部材５２に固定される。そして、送信部５１は、回路基板５１２が図示しないケーブルを介して制御部に接続され、前述したように、制御部の指示に基づいて、発光素子５１１が光信号を出力する。
【００５２】
〔光学フィルターの構成〕
次に、光学フィルター６について詳細に説明する。
光学フィルター６は、合成樹脂製であり、図３〜図５に示すように、環状のカバー部６１、およびカバー部６１の＋Ｘ側、−Ｘ側に形成された一対の取付部６２を有している。
光学フィルター６は、発光素子５１１が出力する光信号（赤外線）を透過し、可視光の透過を抑制するポリカーボネート樹脂が採用されている。なお、光学フィルター６は、発光素子５１１から出力された光信号を透過する材料であればポリカーボネート樹脂に限らず他の材料を用いてもよい。
【００５３】
カバー部６１は、図３〜図５に示すように、中央部が前方（＋Ｙ方向）から見て略円形の円孔６１１を有して形成され、この円孔６１１の内径は、投写レンズ３６（図１参照）の前側が挿通可能な大きさに形成されている。また、円孔６１１の周縁部は、図４に示すように、回路基板５１２の挿通孔５１２１に挿通されるように−Ｙ方向に突出して形成されている。
【００５４】
カバー部６１の後側（−Ｙ側）は、図４に示すように、環状に配置された複数の発光素子５１１を覆うように凹状に形成されている。カバー部６１は、図４、図５に示すように、環状に配置された複数の発光素子５１１の内側を囲み、円孔６１１の周縁部に繋がる内環状部６１ａ、および環状に配置された複数の発光素子５１１の外側を囲む外環状部６１ｂを有している。
【００５５】
また、カバー部６１には、外環状部６１ｂの前端から前方（＋Ｙ側）に突出する円筒状の突起部６１２が形成されている。突起部６１２は、図４に示すように、内径がフロントケース２３の開口部２３１の内径と同等の寸法となるように形成されている。
【００５６】
一対の取付部６２は、図３に示すように、カバー部６１の側面からそれぞれ＋Ｘ方向、−Ｘ方向に延出して形成されており、保持部材５２の取付部５１２４に設けられた挿通孔に対応する挿通孔を有している。
光学フィルター６は、送信部５１が取り付けられた保持部材５２とフロントケース２３とに挟持されて、フロントケース２３に取り付けられる。具体的に、光学フィルター６は、保持部材５２および取付部６２のそれぞれの挿通孔にネジが挿通され、フロントケース２３にネジ固定される。そして、光学フィルター６は、発光素子５１１の光信号が出力される側を覆い、フロントケース２３の開口部２３１の周縁部近傍に配置される。
【００５７】
〔遮光部の構成〕
遮光部８は、赤外線を吸収する部材、つまり送信部５１から出力された光信号を吸収する部材でシート状に形成されている。遮光部８は、図４、図５に示すように、光学フィルター６の外環状部６１ｂの−Ｘ側の外面に粘着材を介して貼付されている。
【００５８】
具体的に、遮光部８は、図５に示すように、第１の発光素子５１１ｉを含む発光素子５１１ｇ〜５１１ｌの受光素子７１に対向する側を囲むように配置される。また、遮光部８は、発光素子５１１ｇ〜５１１ｌから出力される領域内光信号を遮ることがないように、外環状部６１ｂに貼付される。
【００５９】
このように、遮光部８は、複数の発光素子５１１のうち、受光素子７１に最も近くに位置する第１の発光素子５１１ｉと、受光素子７１との間に設けられている。換言すると、遮光部８は、複数の発光素子５１１のうち、受光素子７１に最も近くに位置する第１の発光素子５１１ｉの受光素子７１に対向する側を囲むように配置されている。
【００６０】
〔光信号の光路〕
発光素子５１１から出力された領域内光信号は、光学フィルター６を透過した後、スクリーンにて反射され、投写された画像の観察者に到達する。そして、シャッター方式の画像観察用眼鏡を装着した画像の観察者は、画像観察用眼鏡が光信号によって制御され、スクリーンに投写された左目用画像を左目のみで観察し、右目用画像を右目のみで観察し、立体画像として認識することができる。
【００６１】
一方、発光素子５１１から出力された領域外光信号の一部は、光学フィルター６やフロントケース２３等で反射等による散乱によって受光素子７１に向かうが、この受光素子７１に向かう光信号は、遮光部８によって吸収され、受光素子７１に受信されることが抑制される。
【００６２】
以上説明したように、本実施形態のプロジェクター１によれば、以下の効果を得ることができる。
（１）光信号を遮光する遮光部８が発光素子５１１と受光素子７１との間に配置されているので、送信部５１から受光素子７１に向かう光信号を遮光することが可能となる。これによって、受光素子７１と送信部５１とが近い位置に配置されても、受光素子７１は、送信部５１から出力された光信号を受信することが抑制され、リモコンからの操作信号を適切に受信することが可能となる。よって、送信部５１および受光素子７１をプロジェクター１内に配置する自由度が増すので、双方の部品を効率よく配置してプロジェクター１の小型化を図ったり、プロジェクター１のデザイン性の向上を図ったりすることが可能となる。
【００６３】
（２）送信部５１は、光信号を出力する発光素子５１１を複数備えているので、強度を高めて送信部５１から光信号を出力し、より広範囲に位置する画像の観察者に到達させることが可能となる。これによって、観察者は、光信号を受光することに対応して左右のシャッターが開閉する画像観察用眼鏡を装着することで、スクリーンに投写された画像を立体画像として認識したり、２種類の画像を観察したりすることを安定して行うことが可能となる。
また、遮光部８は、複数の発光素子５１１のうち、受光素子７１に最も近くに位置する第１の発光素子５１１ｉとの間に設けられている。これによって、遮光部８は、複数の発光素子５１１の中で受光素子７１に向かう光信号を最も出力すると考えられる第１の発光素子５１１ｉからの光信号を遮光するので、簡素な構造で受光素子７１に向かう光信号を効率よく遮光することが可能となる。
【００６４】
（３）遮光部８は、シート状に形成されて光学フィルター６に貼付されるという簡素な構造なので、遮光部８以外の部材に制約を与えることの抑制や省スペース化を図って遮光部８を配置する構成が可能となる。
【００６５】
（第２実施形態）
次に、第２実施形態に係るプロジェクター１について、図面を参照して説明する。以下の説明では、第１実施形態のプロジェクター１と同様の構造および同様の部材には、同一符号を付し、その詳細な説明は省略または簡略化する。
【００６６】
本実施形態のプロジェクター１は、第１実施形態の光学フィルター６、遮光部８と異なる光学フィルター（図示せず）、遮光部９を備えている。
本実施形態の光学フィルターは、発光素子５１１の前方を覆う部位を有し、発光素子５１１を覆うような凹部を有しない形状に形成されている。
【００６７】
図６は、本実施形態の遮光部９を説明する模式図であり、前方から見た平面図である。
遮光部９は、図６に示すように、第１の遮光部９１、第２の遮光部９２，９３，９４を有している。
【００６８】
第１の遮光部９１は、発光素子５１１から出力された光信号（赤外線）を吸収する部材で形成されている。第１の遮光部９１は、図６に示すように、受光素子７１に最も近くに位置する第１の発光素子５１１ｉ、および第１の発光素子５１１ｉの両隣に位置する発光素子５１１ｈ，５１１ｊを囲むように形成されている。具体的に、第１の遮光部９１は、前方に開口部９１Ａを有し、第１の発光素子５１１ｉの光軸５１１Ｌ方向に交差する方向において、発光素子５１１ｈ，５１１ｉ，５１１ｊを囲むように形成されている。換言すると、第１の遮光部９１は、発光素子５１１ｈ，５１１ｉ，５１１ｊの上下方向、および左右方向を囲むように形成されている。
【００６９】
そして、発光素子５１１ｈ，５１１ｉ，５１１ｊから出力された領域内光信号は、開口部９１Ａから前方に射出される。
一方、発光素子５１１ｈ，５１１ｉ，５１１ｊから出力された領域外光信号は、第１の遮光部９１に吸収される。つまり、発光素子５１１ｈ，５１１ｉ，５１１ｊから出力された光信号のうち、受光素子７１に向かう恐れのある光信号は、第１の遮光部９１によって遮光される。
【００７０】
第２の遮光部９２，９３，９４は、受光素子７１に対して第１の発光素子５１１ｉより遠い位置に配置される発光素子５１１を囲むように形成されている。第２の遮光部９２，９３，９４は、図６に示すように、第１の遮光部９１と同様に、前方に開口部９２Ａ，９３Ａ，９４Ａを有して形成されている。
【００７１】
具体的に、第２の遮光部９２は、発光素子５１１ｋ，５１１ｌを囲むように形成されている。
図７は、第２の遮光部９２の断面図である。
第２の遮光部９２は、図７に示すように、遮光本体部９２１および反射部材９２２を有している。
遮光本体部９２１は、発光素子５１１から出力された光信号（赤外線）を吸収する部材で、光軸５１１Ｌ方向に交差する方向において、発光素子５１１ｋ，５１１ｌを囲むように形成されている。遮光本体部９２１は、図７に示すように、回路基板５１２の発光素子５１１が実装されている実装面から発光素子５１１より高く延出して形成されている。また、遮光本体部９２１の内面は、回路基板５１２側となる基端側より先端側が広くなるように傾斜している。
【００７２】
反射部材９２２は、アルミニウム等の光信号を反射する部材でシート状に形成され、遮光本体部９２１の内面に貼付されている。反射部材９２２は、図７に示すように、発光素子５１１の先端と略同一の高さから遮光本体部９２１の先端まで設けられている。
【００７３】
発光素子５１１ｋ，５１１ｌから出力された領域内光信号は、直接、開口部９２Ａから前方に射出される。そして、発光素子５１１ｋ，５１１ｌから出力された領域外光信号は、図７に示すように、一部が反射部材９２２で反射して開口部９２Ａから射出され、一部が遮光本体部９２１に吸収される。
【００７４】
第２の遮光部９３は、発光素子５１１ｆ，５１１ｇを囲むように形成されている。第２の遮光部９３は、第２の遮光部９２と同様に形成され、遮光本体部９３１および反射部材９３２を有している。そして、発光素子５１１ｆ，５１１ｇから出力された領域内光信号は、直接、開口部９３Ａから前方に射出される。そして、発光素子５１１ｆ，５１１ｇから出力された領域外光信号は、一部が反射部材９３２で反射して開口部９３Ａから射出され、一部が遮光本体部９３１に吸収される。
【００７５】
このように、第２の遮光部９２，９３は、発光素子５１１の光信号を出力する基端側（回路基板５１２側）に光信号を吸収する部材（遮光本体部９２１，９３１）が設けられ、基端側とは反対側の先端側に光信号を反射する部材（反射部材９２２，９３２）が設けられている。
そして、開口部９２Ａ，９３Ａ、および反射部材９２２，９３２に向かう光信号は、第１画像と第２画像との切り替えに有効に使用され、遮光本体部９２１，９３１に向かう光信号は、遮光本体部９２１，９３１にて吸収される。つまり、発光素子５１１ｆ，５１１ｇ，５１１ｋ，５１１ｌから出力された光信号のうち、受光素子７１に向かう恐れのある光信号は、一部が反射部材９２２，９３２によって反射されて有効な光信号として利用され、一部が遮光本体部９２１，９３１によって遮光される。
【００７６】
第２の遮光部９４は、受光素子７１に対して発光素子５１１ｆ〜５１１ｌより遠い位置に配置される発光素子５１１ａ〜５１１ｅを囲むように形成されている。第２の遮光部９４は、光信号（赤外線）を反射する部材で、光軸５１１Ｌ方向に交差する方向において、発光素子５１１ａ〜５１１ｅを囲むように形成されている。そして、発光素子５１１ａ〜５１１ｅから出力された領域内光信号は、直接、開口部９４Ａから前方に射出され、領域外光信号の一部は、第２の遮光部９４で反射して開口部９４Ａから射出される。つまり、発光素子５１１ａ〜５１１ｅから出力された光信号のうち、受光素子７１に向かう恐れのある光信号は、第２の遮光部９４によって遮光される。
【００７７】
このように、遮光部９は、複数の発光素子５１１のうち、受光素子７１に最も近くに位置する第１の発光素子５１１ｉを囲む第１の遮光部９１、および第１の発光素子５１１ｉより遠い位置に配置される発光素子５１１を囲む第２の遮光部９２，９３，９４を有して構成されている。そして、第１の遮光部９１は、光信号を吸収する部材を有して形成され、第２の遮光部９２，９３，９４は、光信号を反射する部材を有して形成され、それぞれが受光素子７１に向かう恐れのある光信号を遮光する。
【００７８】
以上説明したように、本実施形態のプロジェクター１によれば、第１実施形態の効果に加え、以下の効果を得ることができる。
（１）第１の遮光部９１は、受光素子７１に最も近くに位置する第１の発光素子５１１ｉ、およびその両隣に位置する発光素子５１１ｈ，５１１ｊから出力された領域内光信号を開口部９１Ａから射出させ、領域外光信号を吸収する。これによって、プロジェクター１は、第１画像と第２画像との切り替えに有効となる光信号を確実に射出させつつ、受光素子７１に向かう光信号を効率よく遮光し、リモコンからの操作信号を適正に受信することが可能となる。
【００７９】
（２）第１の遮光部９１は、光信号を吸収する部材で形成されている。これによって、受光素子７１に近い位置から発せられ、プロジェクター１内の部材で反射等による散乱によって受光素子７１に入射する恐れのある光信号を吸収することが可能となる。
また、第２の遮光部９２，９３，９４は、第１の発光素子５１１ｉより遠い位置に配置される発光素子５１１を囲み、光信号を反射する部材を有して形成されている。これによって、受光素子７１に対して第１の発光素子５１１ｉより遠い位置から発せられ、受光素子７１に向かう光信号を遮光すると共に、領域外光信号の一部を反射させて第１画像と第２画像との切り替えに有効となる光信号として使用することが可能となる。
したがって、この構成によれば、受光素子７１に向かう光信号を効率よく遮光すると共に、第１の遮光部によって吸収された光信号を、第２の遮光部によって反射された光信号によって補うことができ、有効な光信号の強度のバランスを高めることが可能となる。
【００８０】
（３）第２の遮光部９２，９３は、送信部５１の基端側に光信号を吸収する部材（遮光本体部９２１，９３１）を有し、基端側とは反対側の先端側に光信号を反射する部材（反射部材９２２，９３２）を有している。これによって、領域外光信号のなかで、領域内光信号の領域に近くに出力され、より強度が高い領域外光信号を反射部材９２２，９３２で反射し、領域外光信号のなかで、回路基板５１２側近くに出力され、より散乱光になりがちな光信号を遮光本体部９２１，９３１で吸収することが可能となる。よって、受光素子７１に向かう光信号をより効率的に遮光すると共に、有効な光信号の強度を効率的に高めることが可能となる。
【００８１】
なお、前記実施形態は、以下のように変更してもよい。
前記第１実施形態の遮光部８は、シート状に形成され、光学フィルター６に貼付されて構成されているが、赤外線を吸収する塗料を外環状部６１ｂに塗装することにより形成しても良い。また、外環状部６１ｂの一部を合成樹脂製の遮光部として形成し、この遮光部を光学フィルター６に溶着等で一体的に形成してもよい。
【００８２】
前記実施形態の複数の発光素子５１１は、環状に配置されているが、この態様に限らず、例えば、縦横に整列したり、複数の箇所に分けて配置したりするように構成してもよい。
【００８３】
前記第２実施形態の遮光部９は、複数の発光素子５１１の全てを囲むように構成されているが、受光素子７１が光信号を受信しない程度に受光素子７１から離れて配置される発光素子５１１については、遮光部９で囲まないように構成してもよい。
【００８４】
前記実施形態のプロジェクター１は、第１画像としての右目用画像、および第２画像としての左目用画像を時分割でスクリーンに投影できるように構成されているが、右目用画像、左目用画像に限らず、表示される内容等が異なる第１画像および第２画像を時分割でスクリーンに投影できるように構成してもよい。
【００８５】
前記実施形態のプロジェクター１は、光変調装置として透過型の液晶ライトバルブ３５１を用いているが、反射型液晶ライトバルブを利用したものであってもよい。
【００８６】
光源３１１は放電型のランプに限らず、その他の方式のランプや発光ダイオード等の固体光源で構成してもよい。
【符号の説明】
【００８７】
１…プロジェクター、３…光学ユニット、５…送信装置、６…光学フィルター、７…リモコン受信部、８，９…遮光部、２１…アッパーケース、２２…ロアーケース、２３…フロントケース、２６…受光用フィルター、３１…光源装置、３６…投写レンズ、５１…送信部、５２…保持部材、６１…カバー部、６１ａ…内環状部、６１ｂ…外環状部、７１…受光素子、７２…受信基板、９１…第１の遮光部、９２，９３，９４…第２の遮光部、９２Ａ…開口部、３１１…光源、３５１，３５１Ｂ，３５１Ｇ，３５１Ｒ…液晶ライトバルブ、５１１，５１１ａ〜５１１ｌ…発光素子、５１１Ｌ…光軸、５１２…回路基板、９２１，９３１…遮光本体部、９２２，９３２…反射部材。
【図１】
2013083851.tif 000003
【図２】
2013083851.tif 000004
【図３】
2013083851.tif 000005
【図４】
2013083851.tif 000006
【図５】
2013083851.tif 000007
【図６】
2013083851.tif 000008
【図７】
2013083851.tif 000009